(57)【要約】      （修正有）【課題】荷重を直接受ける肩を含めた身体全体の負担を軽くできる運搬具を提供する。【解決手段】肩掛けベルト２と、肩掛けベルト２に設けられて運搬物を保持する保持板１と、肩掛けベルト２の中間部に設けられた肩当て部材４とを備え、肩当て部材４に、肩凝り軽減効果のあるヒーリング部材（マイナスイオンを発生するセラミックボール）を設ける。【選択図】図１
0003202800.tif 000002
【実用新案登録請求の範囲】
【請求項１】
肩掛けベルトと、肩掛けベルトに設けられて運搬物を保持する保持部と、肩掛けベルトの中間部に設けられた肩当て部材とを備え、前記肩当て部材に、肩凝り軽減効果のあるヒーリング部材を設けた運搬具。
【請求項２】
前記ヒーリング部材は、マイナスイオンを発生するセラミックより構成されている請求項１に記載の運搬具。
【請求項３】
前記肩当て部材には、運搬者の肩との接触面に、運搬物の荷重を受けて肩を指圧する指圧部を設けた運搬具。
【請求項４】
前記保持部を、運搬物を載置して保持する保持板で構成した請求項１に記載の運搬具。
【請求項５】
前記保持部を、運搬物を引っ掛けて保持するフック部材で構成した請求項１に記載の運搬具。
【考案の詳細な説明】
【技術分野】
【０００１】
本考案は運搬具に関し、特に、運搬の際の肩の疲れを軽減することが可能な運搬具に関する。
【背景技術】
【０００２】
特許文献１には、重量板状体を搬送するための搬送具が開示されている。当該搬送具は重量板状体を起立させて保持する係止部を備え、係止部に肩掛け紐の両端を装着して、重量板状体の荷重を肩で受けるようにして、運搬者の腕の負担を軽減したものである。
【先行技術文献】
【特許文献】
【０００３】
【特許文献１】登録実用新案公報第３０６１１９０号
【考案の概要】
【考案が解決しようとする課題】
【０００４】
しかし、上記従来の搬送具では、腕の負担は軽減されるものの、荷重を受ける肩の負担は相変わらず残るという問題があった。
【０００５】
そこで、本考案はこのような課題を解決するもので、荷重を直接受ける肩を含めた身体全体の負担を軽くできる運搬具を提供することを目的とする。
【課題を解決するための手段】
【０００６】
上記目的を達成するために、本第１考案では、肩掛けベルト（２）と、肩掛けベルト（２）に設けられて運搬物を保持する保持部（１，８）と、肩掛けベルト（２）の中間部に設けられた肩当て部材（４）とを備え、前記肩当て部材（４）に、肩凝り軽減効果のあるヒーリング部材（５）を設ける。
【０００７】
本第１考案によれば、肩掛けベルトを首周りに袈裟掛け等することによって運搬物の荷重が身体全体で支えられて分散されるから、腕のみで運搬物を持ち上げて運ぶのに比べて腕の負担が軽減される。また、肩部分は、肩当て部材に設けられたヒーリング部材によってその疲労が軽減される。これにより、重量のある運搬物を運搬する際の身体全体の負担が軽減される。
【０００８】
本第２考案では、前記ヒーリング部材（５）は、マイナスイオンを発生するセラミックより構成されている。
【０００９】
本第３考案では、前記肩当て部材（４）に、運搬者の肩との接触面に、運搬物の荷重を受けて肩を指圧する指圧部（６，７１）を設ける。
【００１０】
本第３考案によれば、荷重を受けた肩当て部材４に設けた指圧部による指圧効果によってさらに肩部分の疲労が軽減される。
【００１１】
本第４考案では、前記保持部を、運搬物を載置して保持する保持板（１）で構成する。
【００１２】
本第４考案によれば、紙袋やポリ袋等の運搬物を保持板上に載せて運搬することができる。
【００１３】
本第５考案では、前記保持部を、運搬物を引っ掛けて保持するフック部材（８）で構成する。
【００１４】
本第５考案によれば、運搬箱の穴開き取手や鞄のリング状係止部にフック部材を引っ掛けてこれらを運搬することができる。
【００１５】
なお、上記カッコ内の符号は、後述する実施形態に記載の具体的手段との対応関係を参考的に示すものである。
【考案の効果】
【００１６】
以上のように、本考案の運搬具によれば、荷重を直接受ける肩を含めた体全体の負担を軽くすることができる。
【図面の簡単な説明】
【００１７】
【図１】本考案の第１実施形態における運搬具の全体斜視図である。
【図２】肩当て部材を表面側から見た平面図である。
【図３】肩当て部材を裏面側から見た平面図である。
【図４】図２のIV−IV線に沿った肩当て部材の横断面図である。
【図５】本考案の第２実施形態における肩当て部材を裏面側から見た平面図である。
【図６】図５のVI-VI線に沿った断面図である。
【図７】本考案の第３実施形態における運搬具の全体斜視図である。
【考案を実施するための形態】
【００１８】
なお、以下に説明する実施形態はあくまで一例であり、本考案の要旨を逸脱しない範囲で当業者が行う種々の設計的改良も本考案の範囲に含まれる。
【００１９】
（第１実施形態）
図１に運搬具の全体斜視図を示す。図１において、運搬具は保持部としての保持板１を備えている。保持板１は本実施形態では略長方形をなし、その両端部にはベルト通し孔１１が設けられている。保持板１としては、滑り止めを施した樹脂板やアルミ等の金属板が使用できる。
【００２０】
左右のベルト通し孔１１には、ポリエステルやアクリル等の樹脂繊維を編んで作られたシートベルトのような、十分な耐荷重性のある肩掛けベルト２が、一方のベルト通し孔１１から他方のベルト通し孔１１へ保持板１の裏面側を通して挿通されて、保持板１が肩掛けベルト２に装着されている。肩掛けベルト２は保持板１から引き出された一方の中間部に設けられた公知の長さ調節部２１によって全体の長さを伸縮調整できるようになっている。
【００２１】
また肩掛けベルト２は、保持板１から引き出された他方の中間部に設けられた、耐荷重性のある樹脂バックル３によって切り離し可能に結合されている。そしてリング状に結合された肩掛けベルト２の頂部に肩当て部材４が設けられている。
【００２２】
肩当て部材４の表面図を図２に示し、その裏面図を図３に、断面図を図４にそれぞれ示す。肩当て部材４の本体４１は一定幅の長尺長方形をなし、例えば樹脂繊維で構成されている。そして、本実施形態では図４に示すように、本体４１の裏面全面に、不織布よりなる袋体４３が配置されており、袋体４３を構成する不織布には、マイナスイオンを発生して肩凝りを防止する還元石等のセラミックの粉末が練り込まれている。また、袋体４３内には、ヒーリング部材として還元石等のセラミックボール５が複数収容してある。袋体４３の両側面及び底面の外方は布材４４で覆ってあり、布材４４の周縁が本体４１の裏面周縁に止着されて袋体４３を保持している。
【００２３】
また、肩口に直接触れる布材４４の中央部底面には複数箇所（本実施形態では三列三行の９箇所）に、樹脂材やセラミック材よりなる半球状の指圧部６が突設されている。これにより、使用時には荷重を受けた指圧部６の球面頂部が運搬者の肩部に当たることで指圧効果を発揮し、上記マイナスイオン効果と相まって肩の疲労が軽減される。  
【００２４】
肩当て部材４は、表面側の長手方向両端部の両側縁からそれぞれ延出させられた各一対の包持片４２Ａ，４２Ｂを開いた状態で肩掛けベルト２の頂部下面に沿って位置させられる。そして、各一対の抱持片４２Ａ，４２Ｂを、肩掛けベルト２を包むようにベルト上面上で重ねて、互いの対向面に設けられた面状ファスナー４４で抱持片４２Ａ，４２Ｂを結合することによって肩当て部材４が肩掛けベルト２に装着される。
【００２５】
このような構造の運搬具を使用する場合には、長さ調節部２１によって肩掛けベルト２の全体長さを予め使用者の体格に合わせて調節しておく。そして、樹脂バックル３を切り離して、保持板１を運搬物の底面に差し込み、その後再び樹脂バックル３を結合して、肩掛けパッド２の肩当て部材４を肩周りに位置させる。そして、屈んだ状態から身体全体を伸張させることによって保持板１上の運搬物を持ち上げて運搬する。なお、運搬物としては、樹脂原料や大豆・玄米等の穀物、工業薬品の粉物等を入れる紙袋やポリ袋、段ボール箱等が考えられる。あるいは被介護者等を搬送することも可能である。
【００２６】
運搬の際、肩掛けベルト２は袈裟掛けにすると良い。運搬物の荷重は身体全体で支えられて分散されるから、腕のみで運搬物を持ち上げて運ぶのに比べて腕の負担が軽減されるとともに、肩部分は、荷重を受けた肩当て部材４の指圧部６による指圧効果とセラミックボール５等のヒーリング効果によってその疲労が軽減される。このようにして、重量のある運搬物を運搬する際の身体全体の負担が軽減される。
【００２７】
（第２実施形態）
図５、図６に示すように、本実施形態ではブロー成形等により成形されたポリプロピレン等の樹脂製の中空容器体７を備えており、当該容器体７には底面に下方へ円弧状に突出する指圧部７１が一体に形成されている。指圧部７１は荷重に対して十分な耐力を発揮するように厚肉としてある。そして、容器体７内には第１実施形態と同様のセラミックボール５が複数収容されている。
【００２８】
容器体７の外周は全周を第１実施形態と同様の不織布の袋体４３で覆ってある。さらに袋体４３の両側面および底面の外方を布材４４で覆い、布材４４の周縁を本体４１の裏面に止着して袋体４３を保持している。このような構造によっても、第１実施形態と同様の作用効果を得ることができる。
【００２９】
（第３実施形態）
第１実施形態では保持部として保持板１を使用しているが、本実施形態では図５に示すように、肩掛けベルト２の両端にそれぞれＪ字形のフック部材８を設けて保持部としている。このようなフック部材８を、みかん箱やバッグインボックス等の運搬箱の穴開き取手や鞄等のリング状係止部に引っ掛ければ、これら運搬箱や鞄を運搬物として第１実施形態と同様の作用効果を得つつ運搬することができる。
【００３０】
（その他の実施形態）
なお、肩当て部材に筆記具入れや小銭入れ用のポケットを設けるとさらに便利である。また、第１実施形態における保持板を肩掛けベルトにリベット止めで装着するようにしても良い。
【符号の説明】
【００３１】
１…保持板（保持部）、２…肩掛けベルト、３…樹脂バックル、４…肩当て部材、５…セラミックボール（ヒーリング部材）、６…指圧部、７…容器体、７１…指圧部、８…フック部材（保持部）。
【図１】
0003202800.tif 000003
【図２】
0003202800.tif 000004
【図３】
0003202800.tif 000005
【図４】
0003202800.tif 000006
【図５】
0003202800.tif 000007
【図６】
0003202800.tif 000008
【図７】
0003202800.tif 000009
【手続補正書】
【提出日】平成27年12月16日(2015.12.16)
【手続補正１】
【補正対象書類名】実用新案登録請求の範囲
【補正対象項目名】請求項３
【補正方法】変更
【補正の内容】
【請求項３】
前記肩当て部材には、運搬者の肩との接触面に、運搬物の荷重を受けて肩を指圧する指圧部を設けた請求項１に記載の運搬具。